(57)【要約】本発明は、蒸気タービン（２２）と、排出蒸気ダクト（２４）を介して蒸気タービン（２２）に接続された復水器（１１）とを有する蒸気タービンユニット（１）、特に蒸気発電所（１００）用の蒸気タービンユニット（１）に関する。本発明によれば、消音器（２）、特に低周波消音器が排出蒸気ダクト（２４）に音響的に結合されている。【選択図】図１
2015521247.tif 000002
【特許請求の範囲】
【請求項１】
少なくとも１台の蒸気タービン（２２）と、１つの排出蒸気ダクト（２４）を介して蒸気タービン（２２）に接続された１台の復水器（１１）とを有する蒸気タービンユニット（１）において、消音器（２）が前記排出蒸気ダクト（２４）に音響的に結合されていることを特徴とする蒸気タービンユニット（１）。
【請求項２】
前記消音器（２）が、低周波消音器および／又は干渉管式消音器であることを特徴とする先行する複数請求項の少なくとも１つに記載の蒸気タービンユニット（１）。
【請求項３】
前記消音器（２）が、５００Ｈｚ以下の、好ましくは４０Ｈｚから５００Ｈｚまでの、さらに好ましくは６０Ｈｚから２５０Ｈｚまでの周波数を減衰させるべく設計されていることを特徴とする先行する複数請求項の少なくとも１つに記載の蒸気タービンユニット（１）。
【請求項４】
前記消音器（２）が、蒸気タービン（２２）の排出蒸気（２５）によって貫流されるように、前記排出蒸気ダクト（２４）内に配置されていることを特徴とする先行する複数請求項の少なくとも１つに記載の蒸気タービンユニット（１）。
【請求項５】
前記消音器（２）が、排水装置（３９）、好ましくはこの消音器の中空チャンバ（２６，２７，２８）内に配置された排水装置（３９）を有することを特徴とする先行する複数請求項の少なくとも１つに記載の蒸気タービンユニット（１）。
【請求項６】
前記消音器（２）が、蒸気タービンユニット（１）の蒸気タービン（２２）に接続されたホットボックス（４０）に音響的に結合されていることを特徴とする先行する複数請求項の少なくとも１つに記載の蒸気タービンユニット（１）。
【請求項７】
前記消音器（２）がもう１つの消音器に音響的に結合されており、特に前者の消音器（２）が干渉式消音器であり、その干渉式消音器に音響的に結合された別の消音器が吸収式消音器であることを特徴とする先行する複数請求項の少なくとも１つに記載の蒸気タービンユニット（１）。
【請求項８】
前記蒸気タービン（２２）が複数の単流式又は複流式の部分タービン（７，８）、特に単流式又は複流式の低圧部分タービン（８）、中圧部分タービンおよび／または高圧部分タービン（７）を有し、それらの部分タービンのそれぞれが別個の１つの排出蒸気ダクト（２４）を介して前記復水器（１１）に接続されており、１つもしくは複数の消音器（２）が１つ又は複数又はこれら全ての排出蒸気ダクト（２４）に音響的に結合されているか、あるいは複数の部分タービン（７，８）又はこれら全ての部分タービン（７，８）が１つの中央の排出蒸気ダクト（２４）を介して前記復水器（１１）に接続されており、前記消音器（２）が前記中央の排出蒸気ダクト（２４）に音響的に結合されていることを特徴とする先行する複数請求項の少なくとも１つに記載の蒸気タービンユニット（１）。
【請求項９】
前記消音器（２）が機械ハウジングの内側に配置されていることを特徴とする先行する複数請求項の少なくとも１つに記載の蒸気タービンユニット（１）を有する蒸気発電所（１００）。
【請求項１０】
前記蒸気発電所（１００）が石炭焚き発電所、油焚き発電所又はガス・蒸気複合発電所であることを特徴とする少なくとも前記請求項に記載の蒸気発電所（１００）。
【発明の詳細な説明】
【技術分野】
【０００１】
本発明は、蒸気タービンと、排出蒸気ダクトを介して蒸気タービンに接続された復水器とを備えた蒸気タービンユニット、特に蒸気発電所用の蒸気タービンユニットに関する。
【背景技術】
【０００２】
一般に、蒸気発電所もしくは火力発電所が、例えば非特許文献１から公知である。
【０００３】
蒸気発電所は、水蒸気の熱エネルギーを蒸気タービンにおいて運動エネルギーに変換し、さらに発電機において電気エネルギーに変換する、化石燃料から発電するための発電所の構造様式である。
【０００４】
このような蒸気発電所の場合、先ずボイラにおいて、一般に予め浄化し、処理された水（給水）から、蒸気タービンの運転に必要な水蒸気が生成される。その蒸気を過熱器でさらに加熱することによって、蒸気の温度および比容積が上昇する。
【０００５】
蒸気がボイラから管路を介して蒸気タービンへ流れ込み、そこで蒸気は、前もって吸収したエネルギーの一部を運動エネルギーとして蒸気タービンに放出する。蒸気タービンには、機械出力を電気出力に変換する発電機が連結されている。
【０００６】
その後、膨張して冷えた蒸気が、蒸気タービンから排出蒸気管もしくは排出蒸気ダクトを介して復水器へ流れ、復水器では、その蒸気が周囲への熱伝達によって凝縮し、液体の水として集まる。
【０００７】
複数の復水ポンプおよび予熱器を介して、この水は給水タンク内に中間蓄積され、それから給水ポンプを介して改めてボイラに供給され、それにより1つの閉回路が形成される。
【０００８】
蒸気発生の異なる形式で異なっている種々の蒸気発電所様式が、例えば石炭焚き発電所、油焚き発電所、ガス・蒸気複合発電所のように区別される。
【０００９】
ガス・蒸気複合発電所は、例えば非特許文献２に記載されている。
【００１０】
このガス・蒸気複合発電所は、ガスタービン発電所と蒸気発電所の原理が組み合わされた発電所である。ガスタービンは後続の排熱ボイラのための熱源として働き、この排熱ボイラは再び蒸気タービンのためのボイラとして働く。
【００１１】
さらに、蒸気タービンのような流体機械は、比較的高い圧力もしくは音響放射を引き起こし、これらが振動および構造に関係した機能障害のほかに、流体機械の周囲への（騒音）障害ももたらし得ることが知られている。
【００１２】
例えば、蒸気タービンにおける主要な圧力／音響源は、通常は、タービンロータの位置において、それらの領域を通って流れる流体の高い速度およびロータ構成要素とステータ構成要素との相互作用によって発生する。
【００１３】
さらに、これらの発生する圧力／音響源によって、複雑で不規則な３次元の回転および／または脈動する圧力場が生成され、それらの圧力場の圧力／音響波は、流体もしくは流動媒体を介して上述の発生場所の流入側および流出側につながる流動空間内、例えば蒸気タービンに流動技術的に結合された排出蒸気ダクトのような流動空間内に広がる。
【００１４】
上述の蒸気タービンを有するこのような多くの蒸気発電所の場合、蒸気タービンを復水器に接続する排出蒸気ダクトにおいて、特に、例えば５００Ｈｚ以下の周波数を有する低周波領域で上昇した音圧レベルが測定される。
【００１５】
この低周波音は排出蒸気ダクトを介して復水器へ伝達される。これはスピーカのように作用して、音響をさらに復水器の周囲もしくは蒸気発電所の周囲に伝達する。
【００１６】
それによって、発電所の周囲への、例えば蒸気発電所に隣接する住宅区域への高い騒音負荷もしくは騒音迷惑をもたらす。特に深い、即ち低い周波数の音は、不愉快なうなり音として聞こえる。
【００１７】
蒸気発電所の音響放射が音響防護限界値を超えると、これは最悪の場合には、蒸気発電所の運転認可を失う結果となる。
【００１８】
さらに、排出蒸気ダクトにおいて確認できるような低周波音は、例えば排出蒸気ダクトでの防音によっては遮断もしくは減衰できないという欠点を有する。
【００１９】
低周波音は隣接部品の固有周波数をも励起する。この場合には、部品損傷という結果になり得る。
【００２０】
消音器、即ち一般的に音響放射を低減するための装置は、広く知られている。
【００２１】
発生した音響エネルギーを異なる作用メカニズムに基づいて低減する種々の構造様式の消音器が存在する。一般には、吸収式消音器、又は干渉もしくは反射式消音器（以下において単に反射式消音器と呼ぶ。）が使用される。
【００２２】
このような反射式消音器は、音響反射の原理を利用すべく、複数の、例えば４つのチャンバを有する。
【００２３】
複数のチャンバ内部空間を何度も通過することにより音圧振幅が平均化され、このことが音圧ピークの低減をもたらす。
【００２４】
音響反射は、反射式消音器において、複数の衝突壁、横断面積の拡大および縮小によって生成される。
【００２５】
音響反射によって、反射式消音器では主として低い周波数が減衰される。
【００２６】
吸収式消音器は、通常、ロックウール、グラスウール又はグラスファイバである多孔性材料を含んでおり、その多孔性材料が音響エネルギーを部分的に吸収する、即ち熱に変換する。
【００２７】
この場合、音響吸収の効果は多重反射によって増強される。
【００２８】
吸収式消音器では主として上方の、即ち高い周波数が、吸収によって減衰される。
【００２９】
非特許文献３から干渉式消音器もしくは低周波消音器として構成された低周波消音器が公知である。
【先行技術文献】
【非特許文献】
【００３０】
【非特許文献１】http://de.wikipedia.org/wiki/Dampfkraftwerk（２０１２年４月２０日入手可能）
【非特許文献２】http://de.wikipedia.org/wiki/Gas-und-Dampf-Kombikraftwerk（２０１２年４月２０日入手可能）
【非特許文献３】HOBATHERMR, G:＼VERKAUF＼Technischer Ordner＼Technischer Ordner 2008.doc, 3.4 Tiefton-Schalldaempfer
【発明の概要】
【発明が解決しようとする課題】
【００３１】
本発明の課題は、少なくとも１台の蒸気タービンと、１つの排出蒸気ダクトを介してこの蒸気タービンに接続された１台の復水器とを備えた蒸気タービンユニットであって、従来技術の上述の欠点を克服した蒸気タービンユニットを提供することにある。特に、本発明の課題は、（構成部品を）安全にかつ少ない音響放射で運転でき、しかも低コストで簡単に実現できる蒸気タービンユニットを提供することにある。
【課題を解決するための手段】
【００３２】
この課題は、本発明によれば、独立請求項による特徴を有する蒸気タービンユニットによって解決される。
【００３３】
本発明に関する蒸気タービンユニットは、少なくとも１台の蒸気タービンと、１つの排出蒸気ダクトもしくは排出蒸気管（以下において両者を単に排出蒸気ダクトと呼ぶ）を介してこの蒸気タービンに接続された１台の（排出蒸気）復水器とを有している。
【００３４】
本発明による蒸気タービンユニットにおいては、さらに１つの消音器が前記排出蒸気ダクトに音響的に結合されている。
【００３５】
「音響的に結合されている」とは、排出蒸気ダクトにおいて発生する音もしくは音波が、消音器内に、そこで消音もしくは遮音するために入り得ることである、と解釈すべきである。
【００３６】
簡略に言うならば、もしくは換言するならば、蒸気タービンから排出蒸気ダクトを介して復水器に供給される排出蒸気が、本発明によれば、排出蒸気ダクトに配置された消音器内に案内され、もしくはその消音器に通され、排出蒸気中に発生した音圧レベルがその消音器において減衰させられ、もしくは遮音される。
【００３７】
こうして、本発明は、本発明に従って簡単な、つまり構造的に簡単な、効果的なやり方で消音器を使用することによって、排出蒸気ダクト内に発生する音響を減衰させることを達成する。それによって、蒸気タービンユニットの周囲における高い騒音負荷もしくは騒音迷惑を低減し、音響防護限界値を守ることができる。
【００３８】
圧力放射もしくは音響放射によって引き起こされる振動および構造に関係した機能障害（およびその結果としての部品損傷）も、本発明によって低減することができる。
【００３９】
本発明の好ましい実施形態は従属請求項からももたらされる。
【００４０】
好ましい実施形態によれば、前記消音器は、低周波消音器、特に干渉もしくは反射式消音器として構成された低周波消音器である。
【００４１】
反射式消音器として構成されたそのような低周波消音器により、簡単かつ効果的なやり方で的確に５００Ｈｚ以下の周波数を減衰させることができる。
【００４２】
特に低周波音が排出蒸気ダクトにおいて発生し、しかもその低周波音が不快なうなり騒音として聞こえることが確認されたことから、このような低周波消音器は、蒸気タービンユニットにおける極めて効果的で効率的な音響もしくは放射防護手段である。
【００４３】
好ましい実施形態によれば、反射式消音器が１つ又は複数の反射チャンバを有し、反射チャンバがそれぞれ特定の周波数領域もしくは周波数帯域をフィルタリングするように設計されている。それによって広い幅の周波数領域を遮音することができる。
【００４４】
こうして、例えば、λ／２共振器、λ／４共振器又はヘルムホルツ共振器として機能する複数の相前後して接続された外部共振チャンバを備えた１つの反射管式消音器を設けることができる。
【００４５】
これらの反射チャンバは、特殊鋼又はロックウールのような吸音材付きで構成してもよいし、あるいは吸音材なしにも構成することができる。さらに、これらの反射チャンバは溶接構造として構成することができる。
【００４６】
これらの反射チャンバがそれぞれ１つの液体排出部もしくは凝縮液排出部を有することもできる。さらにこれらの反射チャンバ内に複数の洗浄用開口を設けることもできる。
【００４７】
格別に好ましい実施形態によれば、このような反射式消音器の１つの反射チャンバが、複数の長孔又はスリット付きの１つの内側薄板リングによって構成され、この内側薄板リングは、もう１つのリングにより同軸状に取り囲まれている。複数のこの種の二重リングが、（直接に又は間隔をおいて分布されて）相前後して排出蒸気ダクト内に配置されているか、もしくは音響的に排出蒸気ダクトに結合されているとよい。
【００４８】
（排出蒸気ダクトにおいて）減衰させるべき複数の周波数に対して消音器を設計するために、好ましくは排出蒸気ダクトにおける騒音の第３オクターブバンドスペクトル内での周波数分析又は音響レベル測定を行うとよい。その結果に応じて１つの適切な消音器、例えば低周波音用の反射式消音器又は高周波音用の吸収式消音器が使用され、又は適切もしくは相応に調整された１つの消音器構成が使用され、例えば反射式消音器の場合、特定の複数の周波数もしくは複数の周波数帯域に対して設計された複数の反射チャンバが使用される。
【００４９】
他の格別に好ましい実施形態によれば、消音器が、例えば５００Ｈｚ以下の、特に４０Ｈｚから５００Ｈｚまでの低い周波数を減衰させるべく設計されている。極めて格別に好ましくは消音器が６０Ｈｚから２５０Ｈｚまでの間の周波数を減衰させるべく設計されている。
【００５０】
格別に簡単な構造は、消音器が、蒸気タービンの排出蒸気によって貫流されるように、排出蒸気ダクト内に配置されていることによって実現することができる。
【００５１】
他の実施形態によれば、消音器が１つの排水装置を有する。これによって、排出蒸気から分離された液体もしくは凝縮された排出蒸気（略して単に凝縮液という）が消音器内に蓄積し、これにより消音器に振動が励起されるのを、阻止することができる。
【００５２】
これは、複数の反射用空洞を有する反射式消音器の場合、これらの反射用空洞に複数の排水ダクトもしくはドレン孔を設けることによって、格別に簡単に実現することができる。
【００５３】
複数の蒸気タービンユニット内もしくはその複数の排出蒸気ダクト内にはしばしばそれぞれいわゆるホットボックスが配置されている。このようなホットボックスを通してバイパス蒸気を排出蒸気ダクトに導入することができる。この場合に、好ましい実施形態によれば、この消音器がこのような１つのホットボックスに音響的に結合されている。
【００５４】
他の好ましい実施形態によれば、この消音器がさらに別の１つの消音器に音響的に結合され、それによって両消音器が排出蒸気ダクトに音響的に結合されている。これによって、非常に（構造的に）簡単かつ効率的なやり方で、排出蒸気ダクト内に発生する音の多くの周波数もしくは大きな周波数帯域を減衰させることができる。
【００５５】
この場合に、格別に好ましくは、この消音器が低周波音を減衰させるための干渉式消音器であり、その干渉式消音器に音響的に結合された別の消音器が高周波音を減衰させるための吸収式消音器であるとよい。
【００５６】
この蒸気タービンは複数の部分もしくは部分タービンを有することができる。例えば、その蒸気タービンでは、低圧部、中圧部および／または高圧部を設けることができる。これらの部分タービンは単流式又は複流式、特に２流式に構成することができる。
【００５７】
これらの部分もしくは部分タービンからそれぞれ復水器に向かう、すなわち復水器に通じる複数の排出蒸気ダクトが、本発明による消音器を装備しているとよい。この代わりとして、個々の排出蒸気ダクト、複数の排出蒸気ダクト又はこれらの全ての排出蒸気ダクトが、復水器に通じる１つの「中央の」排出蒸気ダクトに結合して連結され、この「中央の」排出蒸気ダクトに、本発明による消音器が音響的に結合されていてもよい。
【００５８】
この消音器は、蒸気タービンを少なくとも部分的に又は完全に包囲する機械ハウジング内に配置されているとよい。これの代わりに、消音器が、そのような機械ハウジングの外側に配置されていてもよい。
【００５９】
好ましい実施形態によれば、本発明による蒸気タービン設備は、蒸気発電所もしくはそこに設置されている水・蒸気回路に配置されている。
【００６０】
その場合に、この蒸気発電所は、石炭焚き発電所、油焚き発電所、又はガス・蒸気複合発電所とすることができる。
【００６１】
以上に述べた本発明の有利な実施形態は多数の特徴を有し、これらの特徴は個々の従属請求項において個別に、あるいは複数にまとめられて再掲されている。しかし、これらの特徴は、当業者が目的に合わせて、単独とみなすこともできるし、有意義な他の組み合わせにまとめることもできる。
【００６２】
さらに詳細に説明する本発明の実施例が図に示されている。これらの図において同じ符号は技術的に同じ要素を表す。
【図面の簡単な説明】
【００６３】
【図１】図１は発電所における蒸気タービンと排出蒸気ダクトを介して蒸気タービンに接続された復水器とから成る本発明の実施例による蒸気タービンユニットを有する水・蒸気回路を示す。
【図２】図２は本発明の実施例による蒸気タービンユニットもしくは蒸気発電所における排出蒸気管用もしくは排出蒸気ダクト用の低周波消音器の詳細図を示す。
【図３】図３は本発明の他の実施例による蒸気タービンユニットもしくは蒸気発電所における低周波消音器を装備した排出蒸気管を示す。
【発明を実施するための形態】
【００６４】
実施例：（空気／排出蒸気）復水器１１を有する蒸気発電所１００における排出蒸気ダクト２４用の低周波消音器。
【００６５】
図１は、蒸気タービン２２と排出蒸気ダクト２４を介して蒸気タービン２２に接続された復水器１１とから成る蒸気タービンユニット１を有する石炭焚き蒸気発電所１００の水・蒸気回路１８を示す。
【００６６】
以下において蒸気発電所１００とのみ略称する、この石炭焚き蒸気発電所１００では、通常の石炭焚きの場合には、石炭ミル内で褐炭又は瀝青炭が粉砕され、乾燥される。それから、これが微粉炭燃焼式の燃焼器１６に吹き込まれ、そこで完全に燃焼１７される。
【００６７】
それによって解放された熱が、水管ボイラ、略して蒸気発生器２０によって吸収され、供給された水（給水）が水蒸気／高圧蒸気６に変換される。
【００６８】
蒸気発生器２０において発生した高圧蒸気６は蒸気タービン２２の高圧部７に入り、そこで膨張して冷える際に、機械的な仕事をする。
【００６９】
高圧蒸気６は、高圧部７から出た後、溢流配管２３を介して蒸気タービン２２の複流式に構成された低圧部８に流入し、そこで膨張し、冷えて、更なる機械的な仕事をして排出蒸気圧力レベルになる。
【００７０】
蒸気タービン２２に連結された発電機９によって機械出力が電気出力に変換され、電気出力が電流の形で電力系統１５に供給される。
【００７１】
蒸気タービン２２からの、もしくは蒸気タービン２２の複流低圧（タービン）部８からの排出蒸気２５は両方の排出蒸気ダクト２４を介して復水器１１に供給され、そこで排出蒸気２５は冷却水回路１０内の冷却水ポンプ１２によって搬送される冷却水１３の助けにより凝縮する。
【００７２】
発生する復水もしくは給水５は、復水ポンプもしくは給水ポンプ４によって、予熱器１４で加熱されて再び蒸気発生器２０に供給される。
【００７３】
両方の排出蒸気ダクト内の低周波の高い音圧レベルを減衰させるために、これらの排出蒸気ダクトは、それぞれ、図２にさらに詳細に示されている１つの低周波消音器２と音響的に結合されている。
【００７４】
そのために、図１に示すように、これらの両方の、つまり２つの低周波消音器２は、低周波の音響放射の減衰に適した反射管消音器、略して反射式消音器として構成され、複流低圧タービン部８から流出する排出蒸気２５が貫流できるように両方の排出蒸気ダクト２４内に配置されている。
【００７５】
図２は、両方の排出蒸気ダクト２４に音響的に結合された、もしくは両方の排出蒸気ダクト２４内に配置されて排出蒸気２５によって貫流される低周波消音器２の詳細図を示す。
【００７６】
低周波消音器２は、排出蒸気２５の流れ方向３６において相前後して配置された３つの反射チャンバ２６，２７および２８を有する反射式消音器２として構成されており、これらの反射チャンバはλ／２共振器として働く。
【００７７】
吸収材料もしくはファイバーなしの反射チャンバ２６，２７，２８は、排出蒸気２５によって貫流される特殊鋼製の滑らかな内管２９によって形成され、その内管２９は、同様に特殊鋼製の外管３０によって同軸状に包囲されている。
【００７８】
それによって両管２９，３０の間に形成された中間空間３１が、２つの隔離円板３３、３４と２つの覆い円板３２，３５により分割もしくは区画され、それによって３つの反射チャンバ２６，２７，２８が、それぞれ異なる大きさもしくは異なる容積に形成されている。
【００７９】
反射チャンバ２６，２７，２８のそれぞれが、それらの異なる大きさもしく異なる容積と、それらの異なるように構成された入口開口部３７とに基づいて、排出蒸気ダクト２４内の騒音の周波数分析により求められた特定の周波数領域のフィルタリングを行う。その際に、各反射チャンバ２６，２７，２８は、その特定の周波数領域に応じて適切に大きさを設計もしくは調整されている。
【００８０】
図示の反射チャンバ２６，２７，２８は、例えば、ここでは４０Ｈｚと５００Ｈｚとの間の周波数もしくは周波数帯域を減衰させるように設計されている。
【００８１】
各反射チャンバ２６，２７，２８の始端での流れ方向３６において、そこの（始端）領域３８に内管２９の周囲にわたって、異なる形状の複数の入口開口部もしくはスリット３７が分散して設けられており、これらの入口開口部もしくはスリット３７は、排出蒸気によって貫流される内管２９から各反射チャンバ２６，２７，２８への音の入射を可能にする。
【００８２】
反射式消音器２の構造は溶接構造として実施されている。反射チャンバ２６，２７，２８は、（図示されていないが）洗浄開口部を有することができる。
【００８３】
反射チャンバ２６，２７，２８は、液体排出のためにそれぞれ１つの排水開口部３９を有する。従って、排出蒸気２５から分離された排出蒸気液もしくは凝縮液が反射チャンバ２６，２７，２８内に蓄積して振動を起こさせることはない。
【００８４】
図３は、蒸気タービンユニット１内に設けることができる低周波消音器２を備えた排出蒸気ダクト２４の他の実施形態を示す。
【００８５】
図３に示すように、流れ方向３６において排出蒸気ダクト２４の始端に、１つのいわゆるホットボックス（Ｈｏｔｂｏｘ）４０が配置されている。このホットボックスは、とりわけバイパス蒸気用の複数の導入部４３（図示されたここでは２つの導入部４１）を有する。
【００８６】
流れ方向においてこのホットボックス４０の下流側に低周波消音器２が配置されているので、ホットボックス４０から出て行く、すなわち流出する排出蒸気２５は低周波消音器２を貫流し、そしてさらに復水器１１へ向かって流れる。
【００８７】
図３にも示すように、低周波消音器２は、３つの反射チャンバ２６，２７，２８を有し、これらは、他の付加的な隔離円板４１もしくは４２によって容積が変えられており、この場合には複数の(異なる)減衰させるべき低周波の周波数に適合化されている。
【００８８】
この場合にも反射チャンバ２６，２７，２８はそれぞれ１つの排水開口部３９を備えている。
【００８９】
この場合には、排出蒸気管２５は蒸気タービン２２を収容する機械ハウジング（図示せず）の外側にある。
【００９０】
本発明の細部を好ましい実施例によって詳しく図解して説明したが、本発明は開示された例に限定されず、本発明の保護範囲を逸脱することなくその他の変形を当業者によって導き出すことができる。
【符号の説明】
【００９１】
１          蒸気タービンユニット
２          低周波消音器
４          復水もしくは給水ポンプ
５          復水もしくは給水
６          水蒸気／高圧蒸気
７          高圧部
８          低圧部
９          発電機
１０        冷却水回路
１１        復水器
１２        冷却水ポンプ
１３        給水
１４        予熱器
１５        電力系統
１６        燃焼器
１７        燃焼
１８        水・蒸気回路
２０        蒸気発生器
２２        蒸気タービン
２３        溢流配管
２４        排出蒸気ダクト
２５        排出蒸気
２６        反射チャンバ
２７        反射チャンバ
２８        反射チャンバ
２９        内管
３０        外管
３１        中間空間
３２        覆い円板
３３        隔離円板
３４        隔離円板
３５        覆い円板
３６        流れ方向
３７        入口開口部（スリット）
３８        始端領域
３９        排水開口部
４０        ホットボックス
４１        隔離円板
４２        隔離円板
４３        導入部
１００      蒸気発電所
【図１】
2015521247.tif 000003
【図２】
2015521247.tif 000004
【図３】
2015521247.tif 000005
【国際調査報告】
2015521247.tif 000006
2015521247.tif 000007
2015521247.tif 000008
2015521247.tif 000009